(57)【要約】【課題】通信のデータの中継時に通信異常が発生しても、利用者を煩わせることなく、消費電力を抑制すること。【解決手段】１つの態様において、携帯電話機２０は、第１通信方式で通信を行う通信部６ａと、第２通信方式で通信を行う通信部６ｂとを備える。携帯電話機２０は、通信部６ａが通信相手の通信装置と通信可能な場合に、通信相手の通信装置と携帯電話機３０との間の通信のデータを、通信部６ｂを介して中継させる。携帯電話機２０は、通信部６ｂを介して通信のデータを中継させている場合に、通信部６ｂと携帯電話機３０との通信が不能になったことを検出した場合、通信部６ａと通信相手の通信装置との通信を切断させる。【選択図】図２
2015088851.tif 000002
【特許請求の範囲】
【請求項１】
第１通信方式で通信を行う第１通信部と、
第２通信方式で通信を行う第２通信部と、
前記第１通信部が第１通信装置と通信可能な場合に、前記第１通信装置と第２通信装置との間の通信のデータを、前記第２通信部を介して中継させる制御部と
を備え、
前記制御部は、前記第２通信部を介して前記データを中継させている場合に、前記第２通信部と前記第２通信装置との通信が不能になったことを検出した場合、前記第１通信部と前記第１通信装置との通信を切断させる電子機器。
【請求項２】
前記第１通信部は、公衆網を介して通信を行い、
前記第２通信部は、前記公衆網を介さずに前記第２通信装置と通信を行う請求項１に記載の電子機器。
【請求項３】
第１通信部と、第２通信部とを備える電子機器の制御方法であって、
前記第２通信部が第２通信方式で第２通信装置と通信を行うステップと、
前記第１通信部が第１通信方式で第１通信装置と通信を行うステップと、
前記第１通信装置と前記第２通信装置との間の通信のデータを、前記第２通信部を介して中継させるステップと、
前記第２通信部を介して前記データを中継させている場合に、前記第２通信部と前記第２通信装置との通信が不能になったことを検出した場合、前記第１通信部と前記第１通信装置の通信を切断させるステップと
を含む制御方法。
【発明の詳細な説明】
【技術分野】
【０００１】
本出願は、電子機器及び制御方法に関する。
【背景技術】
【０００２】
携帯電話機への着信があった場合に、その着信に係る通話を他の電子機器を用いて行う技術が知られている。例えば、Ｂｌｕｅｔｏｏｔｈ（登録商標）に対応する無線モジュールを搭載したワイヤレスヘッドセット型の分離型携帯電話機が提案されている。この技術は、ヘッドセットを耳に装着して電話機本体はカバンの中に入れたままの状態で電話をかけたり受けたりすることを可能にしている（特許文献１参照）。
【先行技術文献】
【特許文献】
【０００３】
【特許文献１】特開２００３−１３４２２４号公報
【発明の概要】
【発明が解決しようとする課題】
【０００４】
上記の携帯電話機は、ヘッドセットと通信相手の通信装置との通信のデータを中継している場合に、ヘッドセットとの通信が不能になったにもかかわらず、通信装置との通信を継続してしまう場合がある。この場合、携帯電話機は、利用者によって切断操作が行われるか、通信相手側から切断されるまで、余分に電力を消費してしまうおそれがある。このような理由から、通信のデータの中継時に通信異常が発生しても、利用者を煩わせることなく、消費電力を抑制することができる電子機器及び制御方法に対するニーズがある。
【課題を解決するための手段】
【０００５】
１つの態様に係る電子機器は、第１通信方式で通信を行う第１通信部と、第２通信方式で通信を行う第２通信部と、前記第１通信部が第１通信装置と通信可能な場合に、前記第１通信装置と第２通信装置との間の通信のデータを、前記第２通信部を介して中継させる制御部とを備え、前記制御部は、前記第２通信部を介して前記データを中継させている場合に、前記第２通信部と前記第２通信装置との通信が不能になったことを検出した場合、前記第１通信部と前記第１通信装置との通信を切断させる。
【０００６】
１つの態様に係る制御方法は、第１通信部と、第２通信部とを備える電子機器の制御方法であって、前記第２通信部が第２通信方式で第２通信装置と通信を行うステップと、前記第１通信部が第１通信方式で第１通信装置と通信を行うステップと、前記第１通信装置と前記第２通信装置との間の通信のデータを、前記第２通信部を介して中継させるステップと、前記第２通信部を介して前記データを中継させている場合に、前記第２通信部と前記第２通信装置との通信が不能になったことを検出した場合、前記第１通信部と前記第１通信装置の通信を切断させるステップとを含む。
【図面の簡単な説明】
【０００７】
【図１】図１は、通信の中継の例を示す図である。
【図２】図２は、近距離無線通信の状態に応じた制御の例を示す図である。
【図３】図３は、通信の音声データを中継する携帯電話機のブロック図である。
【図４】図４は、通信の音声データが中継される携帯電話機のブロック図である。
【図５】図５は、通信のデータの中継時における処理手順の例を示すフローチャートである。
【図６】図６は、近距離無線通信の状態に応じた制御の変形例を示す図である。
【発明を実施するための形態】
【０００８】
本出願に係る電子機器及び制御方法を実施するための実施形態を、図面を参照しつつ詳細に説明する。
【０００９】
（実施形態）
図１及び図２を参照しながら、実施形態に係る制御方法について説明する。図１は、通信の中継の例を示す図である。図２は、近距離無線通信の状態に応じた制御の例を示す図である。図１に示す携帯電話機２０、３０及び４０は、通信部６ａを有する。携帯電話機２０及び３０は、通信部６ｂをさらに有する。
【００１０】
通信部６ａは、公衆回線ネットワーク９０を通じて通話を行うことができるように構成されている。図１に示す場面において、携帯電話機２０及び３０の通信部６ａは、基地局９１ｂとの無線通信を介して、公衆回線（キャリア回線）ネットワーク９０に接続されている。図１に示す場面において、携帯電話機４０の通信部６ａは、基地局９１ａとの無線通信を介して、公衆回線ネットワーク９０に接続されている。
【００１１】
通信部６ｂは、通信部６ａによる通話の音声データを中継することができるように構成されている。通信部６ｂは、近距離無線通信を介して、他の電子機器に直に接続される。他の電子機器に直に接続する近距離無線通信方式としては、例えばＢｌｕｅｔｏｏｔｈ（登録商標）およびＷｉＦｉ（登録商標）がある。図１に示す例では、携帯電話機２０と携帯電話機３０とが、公衆回線ネットワーク９０を介さずに、直に通信している。図１に示す場面において、携帯電話機２０及び３０の通信部６ｂは、相互に通信可能な状態にある。
【００１２】
携帯電話機２０及び３０は、同一の利用者によって所有されている。例えば、２台の携帯電話機２０及び３０を持ち歩く場合、利用者は、操作対象の方を所持し、もう一方を中継器等としてカバン等に収容しておく。図１に示す場面において、利用者は、携帯電話機３０を所持し、携帯電話機２０をカバン等に収容している。携帯電話機３０を所持しているとは、例えば、携帯電話機３０が利用者の手元にあること、利用者が携帯電話機３０を手に持っていること、利用者が携帯電話機３０を操作していること等を含む。図１に示す場面において、携帯電話機３０は、利用者の操作対象となっている。そして、携帯電話機２０は、利用者の操作対象ではなく、中継器として機能している。そして、携帯電話機２０は、着信があった場合に、通信部６ｂによる近距離無線通信を介して、着信があることを携帯電話機３０へ通知するように設定されている。
【００１３】
例えば、図１に示す場面において、携帯電話機４０が携帯電話機２０へ発信したものとする。この発信は、基地局９１ａ、公衆回線ネットワーク９０、及び基地局９１ｂを経由して、携帯電話機２０へ届く。携帯電話機２０及び３０の通信部６ｂは、相互に通信可能に接続されている。携帯電話機２０は、着信を検出すると、通信部６ｂによる近距離無線通信を介して、着信があることを携帯電話機３０へ通知する。
【００１４】
携帯電話機３０は、着信があることが携帯電話機２０から通知されると、着信を報知する。そして、報知に気付いた利用者が携帯電話機３０に対して所定のオフフック操作を行うと、携帯電話機２０と携帯電話機４０との間の通話が開始される。オフフック操作は、着信に応じて通話を開始するための操作である。携帯電話機２０は、通話中は、携帯電話機３０または携帯電話機４０からの音声データＤ１を他方に中継する。
【００１５】
携帯電話機２０は、通話の音声データＤ１の中継中、通信部６ｂによる近距離無線通信の状態に基づいて、通信部６ａの通信接続を制御する。図２に示すステップＳ１１において、携帯電話機２０及び３０の通信部６ｂは、近距離無線通信により、相互に通信可能に接続されている。携帯電話機２０は、通信部６ａ及び６ｂが相互に通信可能である場合、通信部６ｂを介して通話の音声データＤ１を中継する。これにより、携帯電話機２０は、携帯電話機３０と携帯電話機４０との間の通話を実現している。
【００１６】
図２に示すステップＳ１２において、何らかの理由により、携帯電話機２０の通信部６ｂは、携帯電話機３０の通信部６ｂとの近距離無線通信が不能に変化している。図２に示す例では、携帯電話機２０と携帯電話機３０との距離が離れる等して、通信部６ｂの近距離無線通信が不能になっている。しかし、携帯電話機２０の通信部６ａは、基地局９１ｂとの無線通信が可能な状態を維持している。すなわち、携帯電話機２０は、携帯電話機４０と通信接続されたままの状態になっている。
【００１７】
図２に示すステップＳ１３において、携帯電話機２０は、音声データＤ１の中継中、通信部６ｂによる近距離無線通信が不能になったことを検出すると、通信部６ａによる通信を切断させる。本実施形態では、携帯電話機２０は、通信部６ａによる無線通信を介した通信相手の通信装置との通信接続を切断している。通信部６ａの通信を切断させることには、例えば、通信部６ａによる無線信号の送受信を停止させること、通信部６ａと基地局９１ａとの間の無線通信をＯＦＦにすること、通信部６ａへの電力供給を遮断すること等が含まれる。
【００１８】
携帯電話機４０は、携帯電話機２０との通信が切断されたことを検出すると、通話の終了を報知する。
【００１９】
このように、通話の音声データＤ１の中継中に、通信部６ｂによる携帯電話機３０との近距離無線通信が不能になった場合に、通信部６ａの通信を切断させる。これにより、携帯電話機２０は、携帯電話機３０との通信が不能になったにもかかわらず、携帯電話機４０との通信を継続してしまうことを防止できる。このため、携帯電話機２０は、携帯電話機３０で通話していた利用者による切断操作を不要とすることができるとともに、通信部６ａによる消費電力を抑制することができる。さらに、携帯電話機２０は、通信部６ａの通信を切断することにより、通信相手に通信の切断を認識させることができる。利用者は、通信のデータの中継中、近距離無線通信が不能になった場合に、携帯電話機２０が通信部６ａの通信を切断することを予め分かっていれば、通信途中等で通信が切れた場合に、携帯電話機２０の通信部６ａの状態を確認する必要がなくなる。
【００２０】
例えば、通信のデータの中継中、通信部６ｂによる近距離無線通信が不能になった場合に、携帯電話機２０は、通信部６ａによる通信を継続しようとすると、ソフトウェアの制御が複雑になってしまう。しかし、携帯電話機２０は、通信部６ａの通信を切断することにより、例えば、近距離無線通信の復旧を待つ制御、通信相手の通信装置に対応するための制御等が不要となる。このため、携帯電話機２０は、通信のデータの中継時に発生した通信異常時における制御が簡単になり、ソフトウェアの複雑化を避けることができる。
【００２１】
例えば、通信部６ｂによる近距離無線通信が不能になった場合、携帯電話機３０は、携帯電話機２０から音声データを受信できなくなる。このため、携帯電話機３０は、通話の途中で切断される可能性がある。このような理由から、携帯電話機３０は、近距離無線通信が不能になったことを利用者に報知するように構成されてもよい。これにより、利用者は、携帯電話機３０による報知に応じて、通信部６ｂによる携帯電話機２０との近距離無線通信を復旧させる、あるいは、通信部６ａによる無線通信を介して通信相手の通信装置に発信させる。
【００２２】
携帯電話機２０は、通話の音声データＤ１の中継中、携帯電話機３０に対してオンフック操作が行われると、携帯電話機４０との通話のための接続を切断する。オンフック操作は、着信に応じた通話を終了するための操作である。この場合、携帯電話機２０及び３０の通信部６ｂは、相互に通信可能な状態を維持している。
【００２３】
携帯電話機２０は、通話の音声データＤ１の中継中、通話相手によって呼が切断されると、通話のための接続が切断される。携帯電話機２０は、通話のための接続が切断されたことを、通信部６ｂによる近距離無線通信を介して携帯電話機３０に通知する。この場合、携帯電話機２０及び３０の通信部６ｂは、相互に通信可能な状態を維持している。
【００２４】
上記の通信部６ｂによる近距離無線通信が不能になった場合には、例えば、近距離無線通信の電波強度が劣化した場合、やりとりする信号にノイズが多く品質が悪い場合、受信エラーが閾値よりも多い場合、接続及び切断が発生する頻度が閾値よりも多い場合等が含まれる。
【００２５】
次に、図３及び図４を参照しながら、図１及び図２に示した携帯電話機２０及び３０の構成について説明する。以下の説明においては、同様の構成要素に同一の符号を付すことがある。さらに、重複する説明は省略することがある。
【００２６】
図３は、携帯電話機２０、すなわち、通信のデータを中継する携帯電話機２０のブロック図である。図３に示すように、携帯電話機２０は、表示部２と、操作部３と、通信部６ａと、通信部６ｂと、レシーバ７と、マイク８と、記憶部９と、制御部１０と、スピーカ１１と、振動部１５と、ランプ１６とを有する。
【００２７】
表示部２は、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等の表示パネルを有する。表示部２は、制御部１０から入力される信号に応じて、文字、図形、画像等の情報を表示する。表示部２が表示する情報には、報知のための画面、アイコン等が含まれる。
【００２８】
操作部３は、利用者の操作を受け付けるための１ないし複数のデバイスを有する。利用者の操作を受け付けるためのデバイスは、例えば、キー、ボタン、タッチスクリーン等を含む。操作部３は、受け付けた操作に応じた信号を制御部１０へ入力する。
【００２９】
通信部６ａは、第１の通信方式で通信を行う通信部である。本実施形態において、第１の通信方式は、公衆回線ネットワーク９０を介して通信を行うための２Ｇ、３Ｇ、４Ｇ等の通信方式である。公衆回線ネットワーク９０を介して通信を行うための通信規格には、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等が含まれる。第１の通信方式は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のように公衆回線ネットワーク９０を介してデータ通信を行うための通信方式であってもよい。第１の通信方式がデータ通信を行うための通信方式である場合、通話は、データ伝送の技術と、ＶｏＩＰ（Ｖｏｉｃｅ  ｏｖｅｒ  Ｉｎｔｅｒｎｅｔ  Ｐｒｏｔｏｃｏｌ）等の音声をデータとして伝送する技術とを組み合わせることによって実現される。通信部６ａは、公衆回線ネットワーク９０を介して通信を行うための複数の通信方式をサポートしてもよい。
【００３０】
通信部６ｂは、第２の通信方式で通信を行う通信部である。本実施形態において、第２の通信方式は、近距離無線通信方式である。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等が含まれる。通信部６ｂは、複数の近距離無線通信方式をサポートしてもよい。
【００３１】
レシーバ７及びスピーカ１１は、音出力部である。レシーバ７及びスピーカ１１は、制御部１０から入力される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換して制御部１０へ入力する。
【００３２】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３３】
記憶部９は、例えば、通信制御プログラム９ａ及び中継設定データ９ｂを記憶する。通信制御プログラム９ａは、異なるネットワーク間でデータを中継する中継機能と、通信部６ｂによる近距離無線通信の状態に基づいて通信部６ａの通信接続を制御する機能を提供する。中継機能は、通話通信機能とデータ通信機能とを含む。通話通信機能は、一方の電子機器から受信した通話の音声データを他方の電子機器へ中継する機能である。データ通信機能は、一方の電子機器から受信した例えばパケットデータ等のデータを他方の電子機器へ中継する機能である。中継設定データ９ｂは、通信の音声データ、パケットデータ等の中継に関する各種の設定に関する情報を含む。中継設定データ９ｂの項目は、適宜分散されてもよいし、集約されてもよい。
【００３４】
制御部１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部１０は、携帯電話機２０の動作を統括的に制御して各種の機能を実現する。
【００３５】
具体的には、制御部１０は、記憶部９に記憶されているデータを必要に応じて参照しつつ、記憶部９に記憶されているプログラムに含まれる命令を実行する。そして、制御部１０は、データ及び命令に応じて機能部を制御し、それによって各種機能を実現する。機能部は、例えば、表示部２、通信部６ａ及び６ｂ、レシーバ７、スピーカ１１、振動部１５、及びランプ１６を含むが、これらに限定されない。制御部１０は、検出部の検出結果に応じて、制御を変更することがある。検出部は、例えば、操作部３、通信部６ａ及び６ｂ、及びマイク８を含むが、これらに限定されない。
【００３６】
制御部１０は、通信制御プログラム９ａを実行することにより、図１及び図２に示した制御方法における携帯電話機２０の動作を実行する。
【００３７】
具体的には、制御部１０は、通信部６ａで着信した通信のデータを他の電子機器へ通信部６ｂを介して中継する。制御部１０は、通信部６ｂで受信した通信のデータを携帯電話機４０等の他の電子機器へ通信部６ａを介して中継する。制御部１０は、通信部６ｂを介して他の電子機器（例えば、携帯電話機３０）から発信が要求されると、通信部６ａを介して発信相手の通信装置に対して発信する。
【００３８】
振動部１５は、携帯電話機２０を振動させる。振動部１５は、携帯電話機２０を振動させるために、例えば、圧電素子、又は偏心モータを用いる。ランプ１６は、設定された色及びパターンで発光する。ランプ１６は、ＬＥＤ（Ｌｉｇｈｔ  Ｅｍｉｔｔｉｎｇ  Ｄｉｏｄｅ）等の光源を有し、光源の発する光が外部から視認できるように携帯電話機２０に搭載される。表示部２、スピーカ１１、振動部１５及びランプ１６は、電話の着信、メールの受信、スケジュールに登録された時刻の到来等を利用者に報知するために用いられる。
【００３９】
図４は、携帯電話機３０、すなわち、通信のデータが中継される携帯電話機３０のブロック図である。図４に示すように、携帯電話機３０は、表示部２と、操作部３と、通信部６ａと、通信部６ｂと、レシーバ７と、マイク８と、記憶部９と、制御部１０と、スピーカ１１と、振動部１５と、ランプ１６とを有する。
【００４０】
記憶部９は、例えば、通信制御プログラム９ｅを記憶する。通信制御プログラム９ｅは、携帯電話機３０における着信、発信、通話通信、データ通信等を制御するための通信制御機能を提供する。
【００４１】
制御部１０は、通信制御プログラム９ｅを実行することにより、図１及び図２に示した制御方法における携帯電話機３０の動作を実行する。携帯電話機２０がテザリング等の中継機能を有している場合には、制御部１０は、携帯電話機２０を介した他の通信機器との通信を制御する。
【００４２】
表示部２、スピーカ１１、振動部１５及びランプ１６は、電話の着信、メールの受信、スケジュールに登録された時刻の到来等を利用者に報知するための報知部として機能する。
【００４３】
図５を参照しながら、通信のデータの中継時における携帯電話機２０の動作について説明する。図５は、通信のデータの中継時における処理手順の例を示すフローチャートである。図５に示す処理手順は、携帯電話機２０に受信した通信のデータを、その通信相手の通信装置と携帯電話機３０との間で、携帯電話機２０が中継に関する制御を実行している場合に、繰り返して実行される。
【００４４】
図５に示すように、携帯電話機２０の制御部１０は、ステップＳ１０１として、通信部６ｂの通信状態を判定する。具体的には、制御部１０は、携帯電話機３０の通信部６ｂとの通信が不能であるか否かを判定する。通信部６ｂによる通信が不能でない場合、すなわち、通信のデータの中継が可能である場合（ステップＳ１０２，Ｎｏ）、制御部１０は、図５に示す処理手順を終了する。
【００４５】
通信部６ｂによる通信が不能である場合、すなわち、通信のデータの中継が不能である場合（ステップＳ１０２，Ｙｅｓ）、制御部１０は、ステップＳ１０３として、通信部６ａの接続状態を判定する。具体的には、制御部１０は、通信部６ａによる無線通信を介して、通信相手の通信装置と通信が接続されている場合に、通信部６ａは接続中であると判定する。通信部６ａは接続中ではない場合（ステップＳ１０４，Ｎｏ）、制御部１０は、図５に示す処理手順を終了する。
【００４６】
通信部６ａは接続中である場合（ステップＳ１０４，Ｙｅｓ）、制御部１０は、ステップＳ１０５として、通信部６ａの通信を切断する。制御部１０は、ステップＳ１０６として、中継機能を停止したことを示す画面を自機の表示部２に表示させる。その後、制御部１０は、図５に示す処理手順を終了する。
【００４７】
上述したように、本実施形態では、携帯電話機２０は、通信のデータの中継中に通信部６ｂが通信不能となり、通信部６ａの通信を切断した場合に、携帯電話機２０が中継機能を停止したことを報知するための画面を表示する。これにより、利用者が携帯電話機２０の中継機能の状態を確認したい場合、利用者は、例えば、携帯電話機２０をカバン等から取り出して当該画面を参照すればよい。なお、携帯電話機２０は、通信部６ａの通信を切断するのみで、当該画面を表示しないように構成されてもよい。
【００４８】
上記の実施形態では、携帯電話機２０は、通信部６ｂによる通信が不能になった場合に、通信部６ａの通信を直ちに切断する場合について説明したが、これに限定されない。例えば、携帯電話機２０は、通信部６ｂによる通信が不能になった場合に、所定時間の間は、通信部６ａの通信を継続させ、所定時間が経過した場合に、通信部６ａの通信を切断させるように構成されてもよい。所定時間は、例えば、３０秒、１分等を含む。さらに、携帯電話機２０は、例えば、消費電力を抑制しなくてもよい充電中である場合、通信部６ａによる通信の課金体系が定額料金制の場合等では、通信部６ａの通信を継続するように構成されてもよい。この場合、携帯電話機２０は、充電中であるか否か、定額料金制であるか否かを判定し、判定結果に基づいて通信の切断を制御すればよい。
【００４９】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００５０】
図６を参照しながら、実施形態に係る制御方法の変形例について説明する。図６は、近距離無線通信の状態に応じた制御の変形例を示す図である。
【００５１】
図６に示すステップＳ２１において、携帯電話機２０及び３０の通信部６ｂは、相互に通信可能に接続されている。携帯電話機３０は、通信部６ｂによる近距離無線通信を介して、携帯電話機２０に発信Ｄ２を要求している。携帯電話機２０は、発信Ｄ２が要求されると、通信部６ａによる無線通信を介して発信Ｄ２を通信相手の通信装置に送信する。この発信Ｄ２は、基地局９１ｂを介して通信相手の通信装置へ届く。通信相手の通信装置は、着信を報知し、当該報知に応じて利用者がオフフック操作を行うと、応答を携帯電話機２０に送信する。
【００５２】
図６に示すステップＳ２２において、何らかの理由により、通信相手の通信装置からの応答Ｄ３が携帯電話機２０に届く前に、携帯電話機２０の通信部６ｂは、携帯電話機３０の通信部６ｂとの近距離無線通信が不能に変化している。携帯電話機２０の通信部６ａは、基地局９１ｂとの無線通信が可能な状態を維持している。このため、携帯電話機２０は、通信部６ａによる無線通信を介して基地局９１ｂから応答Ｄ３を受信する。
【００５３】
図６に示すステップＳ２３において、携帯電話機２０は、発信に関するデータの中継中、通信部６ｂによる近距離無線通信が不能になったことを検出すると、通信部６ａによる通信を切断させる。これにより、携帯電話機２０は、通信相手の通信装置との間で通話するための通信が切断される。そして、携帯電話機３０は、携帯電話機２０との間の近距離無線通信が通信不能になったこと、あるいは、携帯電話機２０による発信が失敗したことを報知する。
【００５４】
上記の変形例では、上記の実施形態と同様に、携帯電話機２０は、発信に関するデータの中継に関する制御を実行している場合に、図５に示す処理手順を繰り返し実行する。これにより、携帯電話機２０は、発信に関するデータの中継時に、通信部６ｂによる近距離無線が通信不能になった場合、通信部６ａによる通信を切断する。
【００５５】
上記の変形例では、携帯電話機２０は、携帯電話機３０との間で発信に関するデータを中継している場合に、通信部６ｂによる近距離無線通信が不能になると、通信部６ａの通信を切断させる。これにより、携帯電話機２０は、携帯電話機３０との通信が不能になったにもかかわらず、携帯電話機２０と通信相手の通信装置と通信が接続されることを防止できる。さらに、通信相手の通信装置からの応答Ｄ３を受信する前に、通信部６ｂによる近距離無線が通信不能になった場合、携帯電話機２０は、通信不能を検出した時点で、通信部６ａによる通信を切断してもよい。
【００５６】
上記の変形例では、携帯電話機３０が携帯電話機２０の中継機能を用いて発信する場合に、通信部６ｂによる近距離無線通信が不能になった場合、携帯電話機２０は、通信部６ａの通信を切断する場合について説明したが、これに限定されない。例えば、携帯電話機２０が着信を携帯電話機３０に通知し、携帯電話機３０が着信を報知している場合に、通信部６ｂによる近距離無線通信が不能になった場合、携帯電話機２０は、通信部６ａの通信を切断してもよい。この場合、携帯電話機３０は、通信部６ｂによる近距離無線通信が不能になったことを検出した時点で、着信の報知を停止するように構成すればよい。
【００５７】
上記の実施形態及びその変形例は、さらに、以下のように変形してもよい。例えば、図３及び図４に示した各プログラムは、複数のモジュールに分割されていてもよいし、他のプログラムと結合されていてもよい。
【００５８】
上記の実施形態では、携帯電話機２０は、データを携帯電話機３０に送信する場合、近距離無線通信を介して送信する場合について説明したが、通信部６ａとは異なる公衆回線ネットワークを介して送信するように構成されてもよい。具体的には、通信部６ｂがサポートする通信規格は、近距離無線通信の規格からセルラーフォンの通信規格と変更される。すなわち、通信部６ａと通信部６ｂがサポートする通信規格の組み合わせは、例えば、２Ｇと３Ｇ、３Ｇと４Ｇ、３ＧとＰＨＳ等の組み合わせとしてもよい。
【００５９】
上記の実施形態では、携帯電話機２０が通信のデータを中継する機能を有し、携帯電話機３０が通信のデータの中継を受ける機能を有する場合について説明したが、携帯電話機２０及び携帯電話機３０は、通信のデータを中継する機能と中継を受ける機能の両方を有してもよい。
【００６０】
上記の実施形態では、携帯電話機２０及び３０が同一の利用者によって所有される場合について説明したが、これに限定されない。携帯電話機２０及び３０は、異なる利用者が所有してもよい。例えば、携帯電話機２０が親によって所有され、携帯電話機３０がその子供によって所有されてもよい。
【００６１】
上記の実施形態では、通信のデータを中継する電子機器の例として、携帯電話機（より具体的には、携帯電話機２０）について説明したが、かかる制御を行う電子機器は、携帯電話機に限定されない。上記の制御を行う電子機器は、携帯電話機以外の少なくとも２つの通信方式で通信可能な電子機器であってもよい。
【００６２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００６３】
２  表示部
３  操作部
６ａ、６ｂ  通信部
７  レシーバ
８  マイク
９  記憶部
９ａ、９ｅ  通信制御プログラム
９ｂ  中継設定データ
１０  制御部
１１  スピーカ
１５  振動部
１６  ランプ
２０  携帯電話機
３０  携帯電話機
４０  携帯電話機
９０  公衆回線ネットワーク
９１ａ、９１ｂ  基地局
【図１】
2015088851.tif 000003
【図２】
2015088851.tif 000004
【図３】
2015088851.tif 000005
【図４】
2015088851.tif 000006
【図５】
2015088851.tif 000007
【図６】
2015088851.tif 000008